(57)【特許請求の範囲】
【請求項１】
外部電源からの電力の供給を受けて操作端を駆動するモータと、前記外部電源からの電力の供給を受けて充電される蓄電体とを備え、前記外部電源の遮断時に前記蓄電体に蓄えられている電力によって前記モータを強制的に駆動し、このモータによって駆動される操作端が所定の開度に達したことを検出して、前記蓄電体からの前記モータへの電力の供給を遮断する電動アクチュエータにおいて、
前記蓄電体からの前記モータへの電力の供給通路に設けられ、前記蓄電体からの前記モータへの電力の供給通路を開閉するスイッチ手段と、
操作者からの指示に応じ、前記蓄電体からの電力の供給を受けて動作し、前記蓄電体からの前記モータへの電力の供給通路に設けられている前記スイッチ手段を開とするセット手段と、
前記外部電源の遮断が復旧された場合、その外部電源からの電力の供給を受けて動作し、前記蓄電体からの前記モータへの電力の供給通路に設けられている前記スイッチ手段を閉とするリセット手段と、
前記リセット手段への前記外部電源からの電力の供給を所定の遅延時間経過後に遮断する手段と
を備えることを特徴とする電動アクチュエータ。
【請求項２】
請求項１に記載された電動アクチュエータにおいて、
操作者からの指示に応じ、セットされている電池の電力を前記セット手段に供給して当該セット手段を動作させ、前記蓄電体からの前記モータへの電力の供給通路に設けられている前記スイッチ手段を開とする電池パック
を備えることを特徴とする電動アクチュエータ。
【請求項３】
請求項１又は２に記載された電動アクチュエータにおいて、
前記セット手段への電力の供給に伴って給電され、当該セット手段が動作していることを知らせる報知手段
を備えることを特徴とする電動アクチュエータ。
【請求項４】
外部電源からの電力の供給を受けて操作端を駆動するモータと、前記外部電源からの電力の供給を受けて充電される蓄電体とを備え、前記外部電源の遮断時に前記蓄電体に蓄えられている電力によって前記モータを強制的に駆動し、このモータによって駆動される操作端が所定の開度に達したことを検出して、前記蓄電体からの前記モータへの電力の供給を遮断する電動アクチュエータにおいて、
前記蓄電体からの前記モータへの電力の供給通路に設けられ、操作者からの指示に応じて前記蓄電体からの前記モータへの電力の供給通路を開とするスイッチ手段と、
前記外部電源の遮断が復旧された場合、その外部電源からの電力の供給を受けて動作し、前記蓄電体からの前記モータへの電力の供給通路に設けられている前記スイッチ手段を閉とするリセット手段と、
前記リセット手段への前記外部電源からの電力の供給を所定の遅延時間経過後に遮断する手段とを備え、
前記リセット手段は、
前記スイッチ手段を閉とした後、前記外部電源からの電力の供給を受けている間、前記スイッチ手段を閉とした状態を前記操作者からの指示に拘わらず維持する
ことを特徴とする電動アクチュエータ。
【発明の詳細な説明】
【技術分野】
【０００１】
この発明は、バルブやダンパなどの操作端を駆動する電動アクチュエータに関するものである。
【背景技術】
【０００２】
従来より、空調設備では、その冷温水配管に設けられるバルブの開閉動作やダクト内を通って空調エリアに供給される調和空気の風量を加減するダンパの開度調整動作を行わせるために電動アクチュエータが用いられている。
【０００３】
この種の通常の電動アクチュエータは、電動アクチュエータの内部にモータを備え、空調用コントローラからの制御指令に応じて、バルブやダンパなどの操作端の開度を設定開度とするように動作する。
【０００４】
このような電動アクチュエータでは、供給されている電源に停電が生じると、操作端の開度は停電直前の動作開度のままとなり、もはや適切な開度制御が行われなくなる。
【０００５】
そこで、電動アクチュエータに供給されている電源が停電となった場合に、所定開度（例えば、全閉）に強制的に動作させ、電源が再び通常状態に復帰するまで、その所定開度を維持するタイプの電動アクチュエータも提案され、既に存在する。以下、このようなタイプの電動アクチュエータを緊急遮断機能付き電動アクチュエータと呼ぶ。
【０００６】
現在、緊急遮断機能付き電動アクチュエータとしては具体的には２タイプ提案されており、１つのタイプはスプリングリターン型、もう１つのタイプは２次電源駆動型と称されている。
【０００７】
スプリングリターン型電動アクチュエータは、電動アクチュエータの駆動軸に対して全閉状態を維持するように付勢されるリターンスプリングを搭載し、電源が供給されている場合はこのリターンスプリングの付勢力に抗して駆動モータを駆動させてバルブやダンパなどの操作端の開度を調整し、停電が生じた場合にはリターンスプリングの付勢力によってバルブやダンパなどの操作端を強制的に所定開度に動作させる。
【０００８】
一方、２次電源駆動型電動アクチュエータは、２次電池や電気二重層コンデンサ等で構成される蓄電体を搭載し、電源が供給されているときは、この電源でモータを駆動させてバルブやダンパなどの操作端の開度を調整し、停電が生じた場合には蓄電体を動作電源とし、モータを駆動させてバルブやダンパなどの操作端を強制的に所定開度に動作させる。
【０００９】
ところで、このような２つのタイプの緊急遮断機能付き電動アクチュエータ同士を比較すると、スプリングリターン型は、リターンスプリングの付勢力が通常時のモータ駆動に対して抵抗として働くので、その抵抗に打ち勝つためにトルクの大きなモータを使用しなくてはならず、電動アクチュエータの大型化・重量化・コストアップをもたらすという短所を持つ。
【００１０】
これに対して、２次電源駆動型は、スプリングリターン型のような短所を有さず、また近年、蓄電体である２次電池や電気二重層コンデンサの容量の改善などもあって、２次電源駆動型電動アクチュエータが有利になりつつある。
【００１１】
図１２に、例えば特許文献１に記載された電動遮蔽弁のモータ駆動回路を示す。同図において、１は商用電源、２は電源スイッチ、３は交流電圧を規定の直流電圧に変換する定電圧回路、４はリレー、５はモータ（ＤＣモータ）、６は開側リミットスイッチ、７は閉側リミットスイッチ、８，９はリレー４の接点（リレー接点）、１０は蓄電体（電気二重層コンデンサ）、１１はダイオード、１２は抵抗である。
【００１２】
このモータ駆動回路では、電源スイッチ２をオンとすると、定電圧回路３から直流電圧が出力され、リレー４が励磁され、リレー接点８，９がそれぞれ端子８ａ，９ａ側に切り換わる。このとき、モータ５が中間開度の状態にあり、開側リミットスイッチ６が端子６ａ側にあり、閉側リミットスイッチ７が端子７ａ側にあるとする。また、開度指令として、全開指令を受けているものとする。
【００１３】
すると、モータ５が回転し、弁が開方向へ駆動される。そして、開側リミットスイッチ６が作動して、端子６ｂ側に切り換わると、すなわち弁が全開となると、モータ５が停止する。一方、蓄電体１０は、抵抗１２を介して充電される。
【００１４】
この状態で、例えば停電などが発生し、定電圧回路３からの直流電圧の出力がなくなると、リレー４の励磁が解けて、リレー接点８，９がそれぞれ端子８ｂ，９ｂ側に切り換わる。このとき、蓄電体１０に蓄えられている電力がダイオード１１と閉側リミットスイッチ７を通じ、モータ５に供給され、モータ５が逆回転し、弁が閉方向に駆動される。そして、閉側リミットスイッチ７が作動して、端子７ｂ側に切り換わると、すなわち弁が全閉となると、モータ５が停止する。
【先行技術文献】
【特許文献】
【００１５】
【特許文献１】特開平１１−１０１３５９号公報
【特許文献２】特許第４７７４２０７号公報
【発明の概要】
【発明が解決しようとする課題】
【００１６】
しかしながら、図１２に示されたモータ駆動回路では、メンテナンス時、電源スイッチ２をオフとし、弁開度を全閉以外の任意の位置に保持したいような場合があり、このような場合、蓄電体１０に蓄電された電力を放電する必要が生じる。
【００１７】
すなわち、メンテナンスに際して電源スイッチ２をオフとすると、停電と同様な状態が発生し、蓄電体１０に蓄えられている電力によってモータ５が強制的に駆動され、弁が全閉とされる。このような状態で、全閉状態の弁を開方向へ動かそうとすると、閉側リミットスイッチ７が端子７ａ側に切り換わり、モータ５への蓄電体１０からの電力の供給が再開され、モータ５が弁を全閉状態に戻そうとする。
【００１８】
したがって、メンテナンス時、電源スイッチ２をオフとし、弁開度を全閉以外の任意の位置に保持したいような場合、モータ５が弁を全閉状態に戻そうとしなくなるまで、蓄電体１０に蓄電されている電力を放電しなければならない。このため、放電終了まで作業に待ち時間が発生するとともに、放電した分の電力が無駄となってしまう。
【００１９】
なお、特許文献２には、充電電源（蓄電体）とアクチュエータ（モータ）との間にスイッチ手段と電源監視手段を設け、電源監視手段が停電を検出するとスイッチ手段をオンにして充電電源とアクチュエータとを接続し、その接続された充電電源によりアクチュエータが作動して閉弁すると、スイッチ手段をオフにして充電電源とアクチュエータとの接続を断って、開閉用のハンドルでもって弁を開放できるようにした遮断弁が示されている。
【００２０】
この特許文献２に示された技術を適用して考えられるモータ駆動回路を図１３に示す。このモータ駆動回路では、特許文献２に示されたスイッチ手段に相当する構成としてスイッチ１３を設け、電源監視手段に相当する構成として電源監視部１４を設けている。電源監視部１４は停電を検出してスイッチ１３をオンとする。
【００２１】
この図１３に示された構成では、メンテナンスに際して電源スイッチ２をオフとすると、リレー接点８，９が端子８ｂ，９ｂ側に切り換わるとともに、電源監視部１４によってスイッチ１３がオンとされ、蓄電体１０に蓄えられている電力がダイオード１１と閉側リミットスイッチ７とスイッチ１３を通じ、モータ５に供給される。これにより、モータ５が逆回転し、弁が閉方向に駆動される。そして、閉側リミットスイッチ７が作動して、端子７ｂ側に切り換わると、すなわち弁が全閉となると、モータ５が停止する。また、弁が全閉となると、スイッチ１３がオフとされる。
【００２２】
このスイッチ１３は、一旦オフとされると、弁の開閉状態に拘わらず、オフの状態を維持する。これにより、手動によるハンドル操作で弁の開放動作を行った際に、閉側リミットスイッチ７が作動して端子７ａ側に切り換わっても、蓄電体１０に蓄えられている電力がモータ５に供給されることがない。このため、蓄電体１０に蓄電されている電力を放電しなくても、手動による弁の開放動作が可能となる。
【００２３】
しかしながら、この構成では、メンテナンスの終了後、通常の使用状態へ復帰させるために、スイッチ１３をオンとする必要があるが、スイッチ１３のオンへの復帰作業（通常使用状態への復帰作業）を手動にすると、復帰作業を失念する可能性がある。また、タイマ手段を設け、タイマ手段の計時に基づいて、閉弁後のスイッチ１３を所定時間経過後にオンとすることが考えられるが、弁を手動開閉できる時間が限られてしまうという問題がある。
【００２４】
本発明は、このような課題を解決するためになされたもので、その目的とするところは、蓄電体に蓄電された電力をすべて放電することなく、また通常使用状態への復帰作業を失念することなく、時間の制約を受けずに、メンテナンスを行うことが可能な電動アクチュエータを提供することにある。
また、外部電源を遮断しなくても、すなわち通電状態のまま、メンテナンスモードに移行することが可能な電動アクチュエータを提供することにある。
【課題を解決するための手段】
【００２５】
このような目的を達成するために本発明は、外部電源からの電力の供給を受けて操作端を駆動するモータと、外部電源からの電力の供給を受けて充電される蓄電体とを備え、外部電源の遮断時に蓄電体に蓄えられている電力によってモータを強制的に駆動し、このモータによって駆動される操作端が所定の開度に達したことを検出して、蓄電体からのモータへの電力の供給を遮断する電動アクチュエータにおいて、蓄電体からのモータへの電力の供給通路に設けられ、蓄電体からのモータへの電力の供給通路を開閉するスイッチ手段と、操作者からの指示に応じ、蓄電体からの電力の供給を受けて動作し、蓄電体からのモータへの電力の供給通路に設けられているスイッチ手段を開とするセット手段と、外部電源の遮断が復旧された場合、その外部電源からの電力の供給を受けて動作し、蓄電体からのモータへの電力の供給通路に設けられているスイッチ手段を閉とするリセット手段と、リセット手段への外部電源からの電力の供給を所定の遅延時間経過後に遮断する手段とを備えることを特徴とする。
【００２６】
本発明において、蓄電体からのモータへの電力の供給通路にはスイッチ手段が設けられている。このスイッチ手段は通常使用状態では閉とされている。操作者は、メンテナンスを行いたい場合、手動操作スイッチをオンとするなどして、セット手段を動作させる。セット手段は、蓄電体からの電力の供給を受けて動作し、蓄電体からのモータへの電力の供給通路に設けられているスイッチ手段を開とする。これにより、蓄電体からのモータへの電力の供給通路が開とされ、外部電源を遮断しなくても、すなわち通電状態のまま、メンテナンスモードへ移行させることができる。そして、メンテナンスモードへの移行後、外部電源を遮断すれば、操作端を手動で所望の開度まで動かして、メンテナンスを行うことが可能となる。この場合、蓄電体に蓄電されている電力は消費されない。
【００２７】
また、本発明では、メンテナンスの終了後、外部電源を復旧すると、その外部電源からの電力の供給を受けてリセット手段が動作し、蓄電体からのモータへの電力の供給通路に設けられているスイッチ手段を閉とする。これにより、メンテナンスの終了後、再通電を実施した時点で、スイッチ手段が自動的に開から閉に切り換わり、通常使用状態へ自動復帰する。これにより、通常使用状態への復帰作業を失念することがなくなる。また、再通電を実施するまで、操作端を手動で操作することが可能であり、時間の制約を受けることもない。
【００２８】
また、本発明では、リセット手段への外部電源からの電力の供給が所定の遅延時間経過後に遮断される。これにより、外部電源が供給されている状態であっても、手動操作スイッチをオンとするなどして、セット手段を動作させ、蓄電体からのモータへの電力の供給通路に設けられているスイッチ手段を開として、メンテナンスモードへ移行させることが可能となる。
【００２９】
本発明において、「操作者からの指示に応じ、蓄電体からの電力の供給を受けて動作し、蓄電体からのモータへの電力の供給通路に設けられているスイッチ手段を開とするセット手段」は、必ずしも必要ではない。例えば、蓄電体からのモータへの電力の供給通路に設けられているスイッチ手段をリセット機能付きスイッチとし、手動で開とすることができるようにしてもよい。
【発明の効果】
【００３０】
本発明によれば、蓄電体からのモータへの電力の供給通路にスイッチ手段を設ける一方、外部電源の遮断が復旧された場合、その外部電源からの電力の供給を受けて動作し、蓄電体からのモータへの電力の供給通路に設けられているスイッチ手段を閉とするリセット手段を設け、リセット手段への外部電源からの電力の供給を所定の遅延時間経過後に遮断するようにしたので、外部電源を遮断しなくても、すなわち通電状態のまま、メンテナンスモードへ移行させることができるようになる。
これにより、メンテナンスモードへの移行後、外部電源を遮断することにより、操作端を手動で所望の開度まで動かして、メンテナンスを行うことが可能となり、蓄電体に蓄電されている電力を消費しなくて済む。
【００３１】
また、本発明では、メンテナンスの終了後、外部電源を復旧すると、その外部電源からの電力の供給を受けてリセット手段が動作し、蓄電体からのモータへの電力の供給通路に設けられているスイッチ手段を閉とするので、メンテナンスの終了後、再通電を実施した時点で、スイッチ手段が自動的に開から閉に切り換わり、通常使用状態へ自動復帰するものとなり、通常使用状態への復帰作業を失念することなく、時間の制約を受けずに、メンテナンスを行うことが可能となる。
【図面の簡単な説明】
【００３２】
【図１】本発明に係る電動アクチュエータの一実施の形態の要部を示す回路図である。
【図２】この電源アクチュエータの電源スイッチオン時の動作を説明する図である。
【図３】この電源アクチュエータの停電時の動作を説明する図である。
【図４】この電源アクチュエータの方式１でのメンテナンスに際する電源スイッチオフ時の動作を説明する図である。
【図５】この電源アクチュエータの方式１でのメンテナンスに際するメンテナンスモードへの移行状態（セットコイル利用時）を示す図である。
【図６】この電源アクチュエータの方式１でのメンテナンスに際するメンテナンスモードへの移行状態（電池パック利用時）を示す図である。
【図７】この電源アクチュエータの方式２でのメンテナンスに際するメンテナンスモードへの移行状態を示す図である。
【図８】この電源アクチュエータの方式２でのメンテナンスに際するメンテナンスモードへ移行した後の電源スイッチをオフとした状態を示す図である。
【図９】この電源アクチュエータのメンテナンスの終了に際して電源スイッチをオンとした状態を示す図である。
【図１０】ＬＥＤ（発光ダイオード）を設けてセットコイルが動作したことを知らせるようにした例を示す図である。
【図１１】ラッチングリレー接点に代えてリセット機能付きスイッチを設けるようにした例を示す図である。
【図１２】特許文献１に記載された電動遮蔽弁のモータ駆動回路を示す図である。
【図１３】特許文献２に示された技術を適用して考えられるモータ駆動回路を示す図である。
【発明を実施するための形態】
【００３３】
以下、本発明の実施の形態を図面に基づいて詳細に説明する。図１はこの発明に係る電動アクチュエータの一実施の形態の要部を示す回路図である。
【００３４】
図１において、２１は商用電源、２２は電源スイッチ、２３は交流電圧を規定の直流電圧に変換する定電圧回路、２４はリレー、２５はバルブやダンパなどの操作端（図示せず）を駆動するモータ（ＤＣモータ）、２６は開側リミットスイッチ、２７は閉側リミットスイッチ、２８，２９はリレー２４の接点（リレー接点）、３０は蓄電体（電気二重層コンデンサ）、３１は本発明でいうスイッチ手段に相当するラッチングリレーの接点（ラッチングリレー接点）、３２は本発明でいうセット手段に相当するラッチングリレーのセットコイル、３３は本発明でいうリセット手段に相当するラッチングリレーのリセットコイル、３４は電池パック、３５は接点自動復帰スイッチ、３６は遅延回路、３７は接点制御部、３８は接点制御部３７によって制御される接点、Ｔｒ１はトランジスタ、Ｒ１，Ｒ２は抵抗である。
【００３５】
この電動アクチュエータ１００において、モータ２５のそれぞれの端子は、リレー接点２８のコモン端子２８ｃおよびリレー接点２９のコモン端子２９ｃに接続されている。また、リレー接点２８の常開接点端子２８ａは開側リミットスイッチ２６の端子２６ａに接続され、リレー接点２８の常閉接点端子２８ｂは閉側リミットスイッチ２７の端子２７ａに接続されている。また、リレー接点２９の常閉接点端子２９ｂはラッチングリレー接点３１を介し、開側リミットスイッチ２６のコモン端子２６ｃとともに蓄電体３０の一端に接続され、リレー接点２９の常開接点端子２９ａは閉側リミットスイッチ２７のコモン端子２７ｃとともに蓄電体３０の他端に接続されている。
【００３６】
蓄電体３０の一端はトランジスタＴｒ１および抵抗Ｒ１を介して定電圧回路２３からの直流電圧の出力ラインＬ１に接続され、蓄電体３０の他端は定電圧回路２３からの直流電圧の出力ラインＬ２に接続されている。抵抗Ｒ２は定電圧回路２３からの直流電圧の出力ラインＬ１とトランジスタＴｒ１のベースとの間に接続されている。リレー２４は定電圧回路２３からの直流電圧の出力ラインＬ１とＬ２との間に接続されている。
【００３７】
セットコイル３２は、蓄電体３０の一端と他端との間に接続されており、セットコイル３２と蓄電体３０の一端との接続ラインに接点自動復帰スイッチ３５が接続されている。電池パック３４は、電池ＢＴとスイッチＳＷ１とを直列に接続した回路構成とされており、必要に応じてセットコイル３２に対して並列に接続する。電池パック３４の接続については後述する。
【００３８】
遅延回路３６は、ＲＣフィルタなどで構成され、接点制御部３７への電力の供給タイミングを所定時間遅延させる。接点制御部３７は、例えばリレーのコイルとされ、接点３８のオン／オフを制御する。接点３８は、コモン端子３８ｃと、ａ接点端子３８ａと、ｂ接点端子３８ｂとを備え、通常はコモン端子３８ｃとｂ接点端子３８ｂとがオンとされており、遅延回路３６を介する電力の供給を受けて接点制御部３７が動作すると、コモン端子３８ｃとａ接点端子３８ａとがオンとされる。この例では、コモン端子３８ｃとｂ接点端子３８ｂとがオンとされた状態が接点３８のオン状態、コモン端子３８ｃとａ接点端子３８ａとがオンとされた状態が接点３８のオフ状態となる。
【００３９】
接点３８のコモン端子３８ｃは定電圧回路２３からの直流電圧の出力ラインＬ１に接続され、接点３８のｂ接点端子３８ｂはリセットコイル３３の一端に接続されている。リセットコイル３３の他端は定電圧回路２３からの直流電圧の出力ラインＬ２に接続されている。セットコイル３２は、通電付勢されると、ラッチングリレー３１を開とし、リセットコイル３３は、通電付勢されると、ラッチングリレー３１を閉とする。
【００４０】
なお、この例において、電源スイッチ２２は電動アクチュエータ１００の構成要素として設けられているが、電動アクチュエータ１００の外部にあってもよい。また、図１には示していないが、モータ２５が駆動されないときに操作端の開度を操作可能な手動開度操作手段として、開閉用のハンドルなどが設けられている。また、接点制御部３７は、リレーのコイルの他、トランジスタのベースなどとすることも考えられる。また、接点３８もリレーの接点の他、トランジスタのエミッタ−コレクタとすることも考えられる。
【００４１】
この電動アクチュエータ１００では、電源スイッチ２２をオンとすると、定電圧回路２３から直流電圧が出力され、リレー２４が励磁され、リレー接点２８，２９がそれぞれ常開接点端子２８ａ，２９ａ側に切り換わる。このとき、モータ２５が中間開度の状態にあり、開側リミットスイッチ２６が端子２６ａ側にあり、閉側リミットスイッチ２７が端子２７ａ側にあるとする。また、開度指令として、全開指令を受けているものとする。
【００４２】
すると、図２に示す矢印の経路で電流が流れ、モータ２５が矢印Ａ方向へ回転し、操作端が開方向へ駆動される。そして、開側リミットスイッチ２６が作動して、端子２６ｂ側に切り換わると、すなわち操作端が全開となると、モータ２５が停止する。一方、蓄電体３０は、抵抗Ｒ１，トランジスタＴｒ１を介する電流の供給を受けて充電される。
【００４３】
また、ラッチングリレー接点３１は、リセットコイル３３が通電付勢されることから、閉状態とされる。この閉とされた状態がラッチングリレー接点３１の通常使用状態である。なお、リセットコイル３３の通電付勢は、接点制御部３７が遅延回路３６での所定の遅延時間Ｔの経過後に接点３８をオフとすることによって解除される。これにより、ラッチングリレー接点３１はセットコイル３２によって開とすることが可能な状態とされる。
【００４４】
〔停電時の緊急遮断〕
この状態で、停電が発生し、すなわち外部電源が遮断され（図３参照）、定電圧回路２３からの直流電圧の出力がなくなると、リレー２４の励磁が解けて、リレー接点２８，２９がそれぞれ常閉接点端子２８ｂ，２９ｂ側に切り換わる。このとき、蓄電体３０に蓄えられている電力によって、図３に示す矢印の経路で電流が流れ、モータ２５が矢印Ｂ方向へ回転（逆回転）し、操作端が閉方向へ駆動される。そして、閉側リミットスイッチ２７が作動して、端子２７ｂ側に切り換わると、すなわち操作端が全閉となると、モータ２５が停止する。一方、停電によって、接点制御部３７への電力の供給が断たれることから、接点３８はオンとされる。
【００４５】
〔メンテナンス〕
本実施の形態では、メンテナンスモード（後述）に移行する方式として、２つの方式がある。１つは、電源スイッチ２２をオフとしてからメンテナンスモードに移行する方式、もう１つは、電源スイッチ２２をオンとしたままメンテナンスモードに移行する方式である。以下、電源スイッチ２２をオフとしてからメンテナンスモードに移行する方式を方式１、電源スイッチ２２をオンとしたままメンテナンスモードに移行する方式を方式２として、両方の方式について説明する。
【００４６】
〔方式１：電源スイッチをオフとしてからメンテナンスモードに移行する方式〕
メンテナンスに際して電源スイッチ２２をオフとすると（図４参照）、停電と同様な状態が発生し、定電圧回路２３からの直流電圧の出力がなくなる。これにより、上述した「停電時の緊急遮断」と同様にして、図４に示す矢印の経路で電流が流れ、モータ２５が矢印Ｂ方向へ回転（逆回転）し、操作端が閉方向へ駆動される。そして、閉側リミットスイッチ２７が作動して、端子２７ｂ側に切り換わると、すなわち操作端が全閉となると、モータ２５が停止する。
【００４７】
この場合、接点制御部３７への電力の供給が断たれることから、接点３８はオンとされる。しかし、接点３８がオンとされても、電源スイッチ２２がオフとされているので、リセットコイル３３の通電付勢は行われない。したがって、ラッチングリレー接点３１は、セットコイル３２によって開とすることが可能な状態を維持する。
【００４８】
次に、操作者は、接点自動復帰スイッチ３５をオンとする。この接点自動復帰スイッチ３５は、操作者が押している間だけオンとなり、押すのを止めると自動でオフの状態に復帰する。接点自動復帰スイッチ３５がオンとなると、セットコイル３２が蓄電体３０からの電力の供給を受けて通電付勢され、ラッチングリレー接点３１が開とされる（図５参照）。
【００４９】
なお、蓄電体３０に電力がたまっておらず、接点自動復帰スイッチ３５をオンとしてもセットコイル３２が通電付勢されない場合には、電池パック３４をセットコイル３２に対して並列に接続し、スイッチＳＷ１をオンとして、電池ＢＴからの電力をセットコイル３２へ与え、ラッチングリレー接点３１を開とする（図６参照）。
【００５０】
このラッチングリレー接点３１が開とされた状態をメンテナンスモードと呼ぶ。すなわち、この方式１では、電源スイッチ２２をオフとした後、接点自動復帰スイッチ３５をオンとしたり、あるいは電池パック３４を接続し、スイッチＳＷ１をオンとすることにより、電動アクチュエータ１００をメンテナンスモードに移行させる。
【００５１】
このメンテナンスモードでは、手動によるハンドル操作で操作端の開放動作を行った際、閉側リミットスイッチ２７が作動して端子２７ａ側に切り換わっても、蓄電体３０に蓄えられている電力がモータ２５に供給されることがない。これにより、蓄電体３０に蓄電されている電力を放電しなくても、手動による操作端の開放動作が可能となる。
【００５２】
〔方式２：電源スイッチをオンとしたままメンテナンスモードに移行する方式〕
操作者は、メンテナンスを行いたい場合、電源スイッチ２２をオンとしたまま、接点自動復帰スイッチ３５をオンとする（図７参照）。
【００５３】
この場合、接点制御部３７への電力の供給が続けられていることから、接点３８はオフとされている。したがって、リセットコイル３３の通電付勢は行われておらず、ラッチングリレー接点３１をセットコイル３２によって開とすることができる。
【００５４】
接点自動復帰スイッチ３５は、操作者が押している間だけオンとなり、押すのを止めると自動でオフの状態に復帰する。接点自動復帰スイッチ３５がオンとなると、セットコイル３２が定電圧回路２３からの電力の供給を受けて通電付勢され、ラッチングリレー接点３１が開とされる。これにより、蓄電体３０からのモータ２５への電力の供給通路が開とされた状態となり、メンテナンスモードへ移行する。この後、操作者は、電源スイッチ２２をオフとする（図８参照）。
【００５５】
すなわち、この方式２では、電源スイッチ２２をオンとしたまま、接点自動復帰スイッチ３５をオンとすることにより、電動アクチュエータ１００をメンテナンスモードに移行させてから、電源スイッチ２２をオフとする。
【００５６】
この場合、ラッチングリレー接点３１が開とされているので、電源スイッチ２２をオフとしても、モータ２５への蓄電体３０からの電力の供給が行われず、モータ２５は現在位置で停止する。電源スイッチオフ後は、手動によるハンドル操作で操作端を動かして、メンテナンスを行うことが可能となる。
【００５７】
この方式２では、蓄電体３０に蓄電されている電力は消費されず、方式１のように、蓄電体３０に蓄えられている電力によってモータ２５を強制的に駆動させて、操作端を所定の開度まで駆動させる必要もない。
【００５８】
〔メンテナンスの終了〕
メンテナンスの終了後、電源スイッチ２２をオンとすると、すなわち外部電源を復旧し、再通電を実施すると（図９参照）、定電圧回路２３からの直流電圧を受けてリセットコイル３３が動作し、ラッチングリレー接点３１を閉とする。
【００５９】
これにより、メンテナンスの終了後、再通電を実施した時点で、ラッチングリレー接点３１が自動的に開から閉に切り換わり、通常使用状態へ自動復帰する。これにより、通常使用状態への復帰作業を失念することがなくなる。また、再通電を実施するまで、操作端を手動で操作することが可能であり、時間の制約を受けることもない。
【００６０】
また、電源スイッチ２２をオンとすると、定電圧回路２３からの直流電圧を受けてリレー２４が動作し、リレー接点２８，２９がそれぞれ常開接点端子２８ａ，２９ａ側に切り換わる。これにより、モータ２５への定電圧回路２３からの電力の供給が開始され、メンテナンス時に操作端の開度を全閉以外の任意の位置に保持した状態から、操作端の開度の制御動作が再開される。
【００６１】
また、リセットコイル３３の通電付勢は、接点制御部３７が遅延回路３６での所定の遅延時間Ｔの経過後に接点３８をオフとすることによって解除される。これにより、ラッチングリレー接点３１は、電源スイッチ２２のオン／オフ状態に拘わらず、セットコイル３２によって開とすることが可能な状態とされる。
【００６２】
なお、図１０に示すように、セットコイル３２に対して並列にＬＥＤ（発光ダイオード）３９を接続し、セットコイル３２が動作したことを知らせるようにしてもよい。すなわち、例えば、方式１において、蓄電体３０に電力がたまっていれば、接点自動復帰スイッチ３５をオンとした時、セットコイル３２への蓄電体３０からの電力の供給に伴ってＬＥＤ３９への給電が行われ、ＬＥＤ３９が発光し、ラッチングリレー接点３１が開とされたことを知らせる。
【００６３】
ＬＥＤ３９が発光しなかった場合、蓄電体３０に電力がたまっていないと判断し、電池パック３４をセットコイル３２に対して並列に接続し、スイッチＳＷ１をオンとして、電池ＢＴからの電力をセットコイル３２へ与え、ラッチングリレー接点３１を開とする。この際、セットコイル３２への電池パック３４からの電力の供給に伴ってＬＥＤ３９への給電が行われ、ＬＥＤ３９が発光し、ラッチングリレー接点３１が開とされたことを知らせる。
【００６４】
なお、上述した実施の形態では、スイッチ手段としてラッチングリレー接点３１を用い、セット手段としてラッチングリレーのセットコイル３２を用い、リセット手段としてラッチングリレーのリセットコイル３３を用いるようにしたが、このようなものに限られるものではない。
【００６５】
すなわち、スイッチ手段は、操作者からの指示に応じて蓄電体３０からのモータ２５への電力の供給通路を開閉することができるものであればよく、セット手段は、操作者からの指示に応じ、蓄電体３０からの電力の供給を受けて動作し、蓄電体３０からのモータ２５への電力の供給通路に設けられているスイッチ手段を開とすることができるものであればよく、リセット手段は、外部電源の遮断が復旧された場合、その外部電源からの電力の供給を受けて動作し、蓄電体３０からのモータ２５への電力の供給通路に設けられているスイッチ手段を閉とすることができるものであればよく、どのような形態のものでも構わない。
【００６６】
また、ＬＥＤ３９に代えてブザーなどを設けてもよく、人間の五感にて感知できる素子であれば、どのようなものであってもよい。
【００６７】
また、図１１に示すように、図１に示した構成からセットコイル３２、電池パック３４、接点自動復帰スイッチ３５を無くし、ラッチングリレー接点３１に代えてリセット機能付きスイッチ４０を設け、このリセット機能付きスイッチ４０をその通電付勢状態で閉とするリセットコイル４１を設けるようにしてもよい。この場合、リセット機能付きスイッチ４０は、リセットコイル４１が通電付勢されていない場合、手動操作によって開とすることができ、リセットコイル４１が通電付勢されるまでその開とされた状態を保つものとする。
【００６８】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００６９】
２１…商用電源、２２…電源スイッチ、２３…定電圧回路、２４…リレー、２５…モータ（ＤＣモータ）、２６…開側リミットスイッチ、２７…閉側リミットスイッチ、２８，２９…リレー接点、３０…蓄電体（電気二重層コンデンサ）、３１…ラッチングリレーの接点（ラッチングリレー接点）、３２…ラッチングリレーのセットコイル、３３…ラッチングリレーのリセットコイル、３４…電池パック、３５…接点自動復帰スイッチ、３６…遅延回路、３７…接点制御部、３８…接点、３９…ＬＥＤ（発光ダイオード）、４０…リセット機能付きスイッチ、４１…リセットコイル、１００…電動アクチュエータ。
【図１】
0005997497.tif 000002
【図２】
0005997497.tif 000003
【図３】
0005997497.tif 000004
【図４】
0005997497.tif 000005
【図５】
0005997497.tif 000006
【図６】
0005997497.tif 000007
【図７】
0005997497.tif 000008
【図８】
0005997497.tif 000009
【図９】
0005997497.tif 000010
【図１０】
0005997497.tif 000011
【図１１】
0005997497.tif 000012
【図１２】
0005997497.tif 000013
【図１３】
0005997497.tif 000014